(57)【要約】【課題】同軸コードリールの改良装置を提供する。【解決手段】  リール１０の中心孔１２を単一軸部３０に回転自在に挿通し、リールの外周面を概ね左、右周面１１，１３に区分する。ゼンマイバネ８０の底端を軸部に連結し、外端をリールの周面上に接続する。ケーブルSを適当な長さ取り外周面上にはめ込んで、上、下コードを形成する。右壁体の内壁面に前述の軸部を固定し、軸部を左壁体に挿入接続し、左、右周面上に収納部を形成して、収納部に上、下コードを巻いて収納する。以上により、リールの上コードが引き出される長さと同時に繰出される下コードの長さが等しくなる。上、下コードの繰出される長さを同等或いは近似にすることで応用範囲が拡大する。【選択図】  図１
0003102209.tif 000002
【実用新案登録請求の範囲】
【請求項１】
同軸コードリールの改良装置において、その構造は、
巻取りリールの中心孔を単一軸部に回転自在に挿通し、リールの外周面を、概ね左、右周面に区分し、
ゼンマイバネの底端を軸部に連結し、外端をリールの外周面上に接続し、
ケーブルの適当な長さを取ってリール外周面上に係止して、上、下コードを構成し、
右壁体の内壁面に前述の軸部を固定し、軸部を左壁体に挿入装着し、左、右周面上にコード収納部を形成し、コード収納部に上、下コードを巻いて収納し、これによりリール内の上コードが引き出される長さと下コードが同時に繰出される長さが等しくなるようにして成ることを特徴とする同軸コードリールの改良装置。
【請求項２】
左、右周面にそれぞれ上コード及び下コードを収納でき、左、右周面の外径の大きさを異なるものとすることにより、上、下コードがコード収納部から出る長さの比率を制御できるようにして成ることを  特徴とする請求項１記載の同軸コードリールの改良装置。
【請求項３】
左、右周面は同一の回転中心線を有することを特徴とする請求項1記載の同軸コードリールの改良装置。
【請求項４】
リールの外周面上に、二つの位置決めスリットを具え、ケーブルを二つの位置決めスリットにはめ込んで位置決めすることにより、上、下コードに区分できるようにして成ることを特徴とする請求項1記載の同軸コードリールの改良装置。
【請求項５】
ケーブルの両端をそれぞれ導電用途のプラグ或いはソケットとして用いることを特徴とする請求項１記載の同軸コードリールの改良装置。
【請求項６】
ケーブルの両端をそれぞれ信号伝送用途のイヤホン、プラグとして用いることを特徴とする請求項１記載の同軸コードリールの改良装置。
【請求項７】
左、右壁体の上、下端にそれぞれダボとダボ孔を具え、ダボをダボ孔に挿入して左、右壁体を結合させ、その隣り合う二つのダボの間に貫通孔を形成して、上、下コードを貫通孔から引き出すことができるようにして成ることを特徴とする請求項1記載の同軸コードリールの改良装置。
【請求項８】
ネジを左壁体の中心孔から軸部のネジ孔内にかしめ、左右壁体を連結することを特徴とする請求項1記載の同軸コードリールの改良装置。
【考案の詳細な説明】
【技術分野】
【０００１】
本考案は同軸コードリールの改良装置に関し、特に公知の同軸二リールを具えるイヤホンコード収納ボックスの改良装置として、上、下コードの繰出される長さを同等或いは近似にする同軸コードリールの改良装置に関する。
【背景技術】
【０００２】
本考案者が過去に考案した「同軸二リールを具えるイヤホンコード収納ボックス」の主な構造は、外径の大きいリールと外径の小さいリールを具え、二つの中心孔に回転可能に軸部を設け、大、小リールの外周面上にそれぞれ収納部を形成し、ケーブルを巻き付けて二つの収納部に収納し、ゼンマイバネの底端を軸部に連結し、外端を大リールの内周面上に接続して、大、小リールが蓄勢しながら回転動作するようにし、大、小リールが回転するとき、つまりケーブルの上コードが引き出されたとき、大、小リールの外径の大、小比率が異なるため、上コードは長く引き出され、下コードが引き出される長さは短くなる。
【特許文献１】米国特許第６，４３４，２４９号明細書
【特許文献２】台湾専利公告号第５０９４４７号公報
【考案の開示】
【考案が解決しようとする課題】
【０００３】
上記技術の、
（１）大、小リール及び内、外ハウジングなどの構造は、固定位置（ベルトな            ど）に固定するもので、その実施例は携帯電話用のイヤホンボック            スなどに限られる。
（２）大、小リールの外径の比率が大きすぎ、上、下コードの繰出し長さの差            が大きくなり、実施範囲が限られる。
といった欠点を解決する。
【課題を解決するための手段】
【０００４】
本考案は同軸コードリールの改良装置を提供し、リール外周面を左、右周面に区分し、両者の外径比率を同じ或いは比率を小さくすることにより、上、下コードの繰出し長さを同等或いは近似にすることにより、応用範囲を拡大する。
【０００５】
図１、２に本考案の構造を示す。リール１０の中心孔１２を単一軸部３０に回転自在に挿通し、リール１０の外周面を、概ね左、右周面１１、１３に区分する。ゼンマイバネ８０の底端８１を軸部３０に連結し、外端８２をリール１０の外周面上に接続する。ケーブルＳの適当な長さを取ってリール外周面上に係止して、上、下コードＳ３、Ｓ４を構成する。右壁体５０の内壁面に前述の軸部３０を固定し、軸部３０を左壁体４０に挿入装着し、左、右周面１１、１３上にコード収納部５５を形成し、コード収納部５５に上、下コードＳ３、Ｓ４を巻いて収納し、これによりリール１０内の上コードＳ３が引き出される長さと下コードＳ４が同時に放出される長さが等しくなるようにする。
【０００６】
更に、左、右周面１１、１３にそれぞれ上コードＳ３及び下コードＳ４を収納可能とし、左、右周面１１、１３の外径Ｄ、ｄの大きさは使用者の必要に応じて異なる設計とすることによって上、下コードＳ３、Ｓ４がコード収納部５５から出る長さの比率を制御できるようにする。
【０００７】
また、左、右周面１１、１３は共通の回転中心線９０を有する。リール１０の外周面上に、二つの位置決めスリット１７、１８を具え、ケーブルＳを二つの位置決めスリット１７、１８にはめ込んで位置決めすることにより、上、下コードＳ３、Ｓ４に区分する。
【０００８】
ケーブルＳの両端をそれぞれ導電用途のプラグＳ６或いはソケットＳ２として設計できる。また、ケーブルＳの両端をそれぞれ信号伝送用途のイヤホンＳ５、プラグＳ６として設計できる。
【０００９】
左、右壁体４０、５０の上、下端にそれぞれダボ５２、４２とダボ孔５４、４４を具え、ダボ５２、４２をダボ孔５４、４４に挿入して左、右壁体４０、５０を結合させ、その隣り合う二つのダボ５２、４２の間に貫通孔５２１、４２１を形成して、上、下コードＳ３、Ｓ４を貫通孔５２１、４２１から引き出すことができる。
【００１０】
ネジ８５を左壁体４０の中心孔４５から軸部３０のネジ孔３２内にかしめ、左右壁体４０、５０を結合する。
【考案の効果】
【００１１】
本考案により、リール内の上コードが引き出される長さと、同時に放出される下コードの長さが同等或いは近似になり、応用範囲が拡大する。
【考案を実施するための最良の形態】
【００１２】
本考案を実施するための最良の形態を図に沿って説明する。
図１、に示すように、本考案の特色は、公知の同軸二リールを同軸独立リール１０に改善し、またリール１０は中心線９０を回転の中心とすることである。実質上はリール１０の外周面を左、右周面１１、１３に区分し、本考案の好適な実施例では左、右周面１１、１３の外径Ｄ、ｄを等しくしているが、外径Ｄ、ｄを異なる大きさに設計することもできる。左、右周面１１、１３の外径Ｄ、ｄが等しい時、上コードＳ３或いは下コードＳ４が収納部５５から引き出されると、リール１０は（図２、３に示すように）軸部３０を中心に回転し、ゼンマイバネ８０の作用によりリール１０は蓄勢しながら回転すると同時に、下コードＳ４或いは上コードＳ３が収納部５５から繰出される。外径Ｄ、ｄが等しいため、上、下コードＳ３、Ｓ４の繰出長さは等しくなる。外径Ｄ、ｄが異なる設計の場合（図６に示すように）、上、下コードＳ３、Ｓ４が繰出される長さの比率が異なる。上、下コードＳ３、Ｓ４の張力が消失すると、ゼンマイバネ８０の収縮作用によりリール１０が反対方向に回転してコード収納が達成される。これにより上、下コードＳ３、Ｓ４がそれぞれ収納部５５内に回収され、コードの整理と、作業場のコード散乱の減少という目的が達成される。
【００１３】
左、右壁体４０、５０の結合により、リール１０との間で収納部５５を形成し、上、下コードＳ３、Ｓ４を収納部５５内に巻いて収納できるようにする（図４に示す）と同時に、隣り合うダボ５２、４２の間に貫通孔５２１、４２１（図５に示す）を形成して上、下コードＳ３、Ｓ４を特定方向に沿って延伸及び収縮するようにできる。また、位置決めスリット１７、１８の設計により、ケーブルＳを位置決めして、上、下コードＳ３、Ｓ４を区分する。
【００１４】
図７、８に示すように、上、下コードＳ３、Ｓ４の一端を各種規格形状のプラグＳ６に接続し、別の一端を各種ソケットＳ２或いはイヤホンＳ５に接続することができる。このようにして、上、下コードＳ３、Ｓ４を各種電器のコネクタケーブルとすることができることにより、収納部５５に大量の上、下コードＳ３、Ｓ４を収納して集線装置を形成し、ケーブルが長すぎて作業場に散乱する状況を防止できる。また、本考案のリール１０の側壁面に円弧形の溝６０とボール６５が相互にスライドして位置決めする構造を設け、上、下コードＳ３、Ｓ４を引き出したときに暫時位置決めできるようにする。
【図面の簡単な説明】
【００１５】
【図１】本考案の立体分解図である。
【図２】本考案の断面図である。
【図３】本考案のもう一つの断面図である。
【図４】本考案の動作平面略図である。
【図５】本考案の動作実施例立体図である。
【図６】本考案の周面外径が異なる実施例の断面図である。
【図７】本考案の電器接続の立体略図である。
【図８】本考案の上、下コード端部のプラグ、ソケットの別の実施例の立体図である。
【符号の説明】
【００１６】
１０  リール
１１  左周面
１２  中心孔
１３  右周面
１７、１８  位置決めスリット
３０  軸部
３２  ネジ孔
４０  左壁体
４５  中心孔
５０  右壁体
５２、４２  ダボ
５４、５４  ダボ孔
５５  収納部
５２１、４２１    貫通孔
６０  溝
６５  ボール
８０  ゼンマイバネ
８１  底端
８２  外端
８５  ネジ
９０  中心線
Ｓ    ケーブル
Ｓ２  ソケット
Ｓ３  上コード
Ｓ４  下コード
Ｓ５  イヤホン
Ｓ６  プラグ
Ｄ、ｄ      外径
【図１】
0003102209.tif 000003
【図２】
0003102209.tif 000004
【図３】
0003102209.tif 000005
【図４】
0003102209.tif 000006
【図５】
0003102209.tif 000007
【図６】
0003102209.tif 000008
【図７】
0003102209.tif 000009
【図８】
0003102209.tif 000010